(57)【要約】【課題】  ＴＮ型液晶表示装置に代わって、応答速度が速く視野角が広いＯＣＢ型液晶表示装置の開発が進められているが、表示画素電極と対向電極間に印加されている駆動電圧が、低電圧状態が継続されると逆転移状態となってしまうので、ブランキング期間も含めて定期的に高電圧を印加する黒挿入が実施されているが、ブランキング期間では充電不足が発生し、ゴーストの発生や白ベタでの逆転移が発生していたが、これらを改善してゴーストの発生や逆転移を防止し得る平面表示パネルの駆動方法及び平面表示装置を提供する。【解決手段】  平面表示パネル１７を駆動するゲートドライバ１５及びソースドライバ１６を制御しているコントローラ１３内に、ブランキング期間における信号の階調を設定し得る信号階調設定手段を設けて中間調の階調に設定し、もしくはコントローラ１３内に設けた黒信号挿入タイミング設定手段２１によって、ブランキング期間内の黒信号挿入期間を映像信号書込み期間に相当する部分にも設定した。【選択図】  図１
2006018138.tif 000002
【特許請求の範囲】
【請求項１】
平面表示パネルをゲートドライバ及びソースドライバによって駆動するとともに、これらドライバを水平及び垂直同期信号並びに映像信号が供給されるコントローラによって制御する平面表示パネルの駆動方法において、
前記コントローラにブランキング期間中の信号の階調を設定し得る信号階調設定手段を設け、この信号階調設定手段によってブランキング期間における黒信号挿入用書込み期間の間の期間を中間調となるような階調に設定したことを特徴とする平面表示パネルの駆動方法。
【請求項２】
平面表示パネルをゲートドライバ及びソースドライバによって駆動するとともに、これらドライバを水平及び垂直同期信号並びに映像信号が供給されるコントローラによって制御する平面表示パネルの駆動方法において、
前記コントローラに黒信号挿入タイミング設定手段を設け、この黒信号挿入タイミング設定手段によってブランキング期間における黒信号の書込み期間を映像期間における黒信号の書込み期間よりも相対的に拡大させたことを特徴とする平面表示パネルの駆動方法。
【請求項３】
前記平面表示パネルをOCB型液晶表示パネルとしたことを特徴とする請求項１または２記載の平面表示パネルの駆動方法。
【請求項４】
水平及び垂直同期信号並びに映像信号が供給されるコントローラと、
このコントローラによって制御されるゲートドライバ及びソースドライバと、
このゲートドライバ及びソースドライバによって駆動される平面表示パネルと、
を有する平面表示装置において、
前記コントローラにブランキング期間中の信号の階調を設定し得る信号階調設定手段を設け、この信号階調設定手段によってブランキング期間における黒信号挿入用書込み期間の間の期間を中間調の階調に設定したことを特徴とする平面表示装置。
【請求項５】
水平及び垂直同期信号並びに映像信号が供給されるコントローラと、
このコントローラによって制御されるゲートドライバ及びソースドライバと、
このゲートドライバ及びソースドライバによって駆動される平面表示パネルと、
を有する平面表示装置において、
前記コントローラに黒信号挿入タイミング設定手段を設け、この黒信号挿入タイミング設定手段によってブランキング期間における黒信号の書込み期間を映像期間における黒信号の書込み期間よりも相対的に拡大させたことを特徴とする平面表示装置。
【請求項６】
前記平面表示パネルをOCB型液晶表示パネルとしたことを特徴とする請求項４または５記載の平面表示装置。
【発明の詳細な説明】
【技術分野】
【０００１】
本発明は、平面表示パネルの駆動方法及び平面表示装置に係り、特に広視野角と高速応答の実現が可能なＯＣＢ技術を用いた液晶表示装置に適用して好適な平面表示パネルの駆動方法及び平面表示装置に関する。
【背景技術】
【０００２】
現在、テレビジョン受像機やパーソナルコンピュータ、カーナビゲーションシステム用の表示用ディスプレイとして、軽量、薄型、低消費電力等の特徴を生かして液晶表示装置が使用されている。
【０００３】
この液晶表示装置として市場で広く利用されているツイステッド・ネマチック（ＴＮ）型液晶表示装置は、光学的に正の屈折率異方性を有する液晶材料が対向するガラス基板間に略９０°捩れ配列されて構成され、その捩れ配列の制御により入射光の旋光性を調節している。このＴＮ型液晶表示装置は、比較的容易に製造できるものの、その視野角は狭く、また応答速度が遅いために、特にテレビジョン画像等の動画表示には不向きであった。
【０００４】
一方、視野角及び応答速度を改善するものとして、ＯＣＢ（Ｏｐｔｉｃａｌｌｙ  Ｃｏｍｐｅｎｓａｔｅｄ  Ｂｉｒｅｆｒｉｎｇｅｎｃｅ）型液晶表示装置が注目されている。このＯＣＢ型液晶表示装置は、対向するガラス基板間にベンド配列が可能な液晶材料が封入されてなるもので、ＴＮ型液晶表示装置に比較して応答速度は一桁改善され、更に、液晶材料の配列状態から光学的に自己補償されるために視野角が広いという利点がある。
【０００５】
このＯＣＢ型液晶表示装置においては、図５（ａ）に示すように、ガラス製アレイ基板６１上に配設された表示画素電極６２と、同じくアレイ基板６１と対向して配置されたガラス製対向基板６３上に配設された対向電極６４間に液晶分子６５を有する液晶層を介在させており、電圧が無印加の状態では、液晶層の液晶分子はスプレイ配列状態を採る。このため電源投入時に、表示画素電極６２と対向電極６４との間に数十Ｖ程度の高電圧を印加することで、液晶分子６５をベンド配列状態に移行させる。
【０００６】
この相転移を確実に行うための高電圧印加に際して、隣接する水平画素ライン毎に逆極性の電圧を書込むことにより、隣接する表示画素電極６２と相転移用画素電極との間に横方向の捩れ電位差を与えることで核形成を行い、この核を中心に相転移を行っている。このような動作を略１秒間程度行うことにより、スプレイ配列状態からベンド配列状態に移行させ、更に表示画素電極６２と対向電極６４との間の電位差を同電位とすることで、不所望な履歴を一度消去させている。
【０００７】
このようにして液晶分子６５をベンド配列状態とした後に、動作中は、図５（ｂ）に示すように、駆動電源６６から液晶分子６５にベンド配列状態が維持される低いオフ電圧以上の電圧が印加される。このオフ電圧とこれよりも高い電圧のオン電圧を、図５（ｃ）に示すように、駆動電源６６から表示画素電極６４間に印加することにより、このオン・オフ電圧との間で駆動電圧を変化させることによって、図５（ｂ）のベンド配列状態から図５（ｃ）に示すように液晶分子６５のベンド配列状態を変化させ、液晶層のリタデーション値を変化させて透過率を制御している。
【０００８】
このようなＯＣＢ型液晶表示装置を用いて画像表示を行う場合には、複屈折性を制御し偏光板との組合せによって、例えば、液晶パネルを駆動回路によって駆動し、高電圧印加状態で光を遮断（黒表示）し、低電圧印加状態で光を透過（白表示）させることが考えられる。
【０００９】
この駆動回路は、図６に示すように、アレイ基板６１上に一体的に構成された走査線駆動回路６７から複数の走査線Ｙ１〜Ｙｎが行方向に延在され、この走査線Ｙ１〜Ｙｎと交差するように、列方向には信号線駆動回路（図示せず）からの複数の信号線Ｘ１〜Ｘｍが延在されている。
【００１０】
この信号線Ｘ１〜Ｘｍは、奇数信号線Ｘ１，Ｘ３…と偶数信号線Ｘ２，Ｘ４…とに区分され、夫々の信号線Ｘ１〜Ｘｍに偶数及び奇数毎の一対の選択スイッチとして構成される薄膜トランジスタ（ＴＦＴ）６８−１，６８−２、…６８−ｍ´（ｍ´＝２ｍ）のドレインーソース通路が並列に接続されている。このうち、奇数組のＴＦＴ６８−１，６８−３…のゲートは第１選択信号が供給される端子６９に、また偶数組のＴＦＴ６８−２，６８−４…のゲートは第２選択信号が供給される端子７０に接続され、夫々端子７１，７２に供給される映像信号を選択信号によって選択されるようになされている。
【００１１】
この各ＴＦＴ６８−１〜６８−ｍ´のドレインーソース通路を介した信号線Ｘと走査線Ｙとの交点部分には、夫々スイッチング用の薄膜トランジスタ（ＴＦＴ）７３が配置されており、このＴＦＴ７３のゲートは走査線Ｙ１〜Ｙｎに、またドレインーソース通路の一方端が信号線Ｘと接続されている。このＴＦＴ７３のドレインーソース通路の他方端は液晶表示素子７４と接続されるとともに、補助容量素子７５の一端に接続され、この補助容量素子７５の他端は容量線Ｃｓを介して端子７６と接続され、端子７６から補助容量電圧が入力される。
【００１２】
また、走査線駆動回路６７には、端子７７を介して垂直走査クロック信号が、更に端子７８を介して垂直スタート信号が夫々供給されている。
【００１３】
このように構成することにより、走査線駆動回路６７からのゲートパルスが線順次駆動方式で走査線Ｙ１〜Ｙｎまで順次供給され、一つの走査線Ｘ上のＴＦＴ７３を一斉にオンさせる。この走査に同期して信号線駆動回路からの映像信号が端子７１，７２及びＴＦＴ６８−１〜６８−ｍ´を介してＴＦＴ７３に供給され、このＴＦＴ７３のドレインーソース通路を通して液晶表示素子７４及び補助容量素子７５に信号電荷を蓄積する。この信号電荷は次の走査期間まで保持することによって、走査線Ｘに接続された全画素の液晶表示素子７４を励起して画像を表示し、補助容量素子７５は端子７６をアース、もしくは端子７６に供給される逆位相のゲートパルスによって駆動され、補助容量電圧が印加されている。
【００１４】
このような駆動回路によれば、例えば、図７（ａ）に示すように、一水平走査期間（１Ｈ）の前半で、信号線Ｘ１に対応するＴＦＴ６８−１を介して接続されている表示画素電極６２には、対向電極６４の電圧に対して正極性（＋）の信号電圧が、また信号線Ｘ２に対応するＴＦＴ６８−４を介して接続されている表示画素電極６２には、対向電極６４の電圧に対して負極性（−）の信号電圧が夫々書き込まれる。
【００１５】
そして１Ｈの後半で、信号線Ｘ２に対応するＴＦＴ６８−２を介して接続されている表示画素電極６２には、対向電極６４の電圧に対して負極性（−）の信号電圧が、また信号線Ｘ１に対応するＴＦＴ６８−３を介して接続されている表示画素電極６２には、対向電極６４の電圧に対して正極性（＋）の信号が書き込まれる。
【００１６】
また、次のフレームでは、図７（ｂ）に示すように、１Ｈの前半で、信号線Ｘ１に対応するＴＦＴ６８−１を介して接続されている表示画素電極６２には、対向電極６４の電圧に対して負極性（−）の信号電圧が、また信号線Ｘ２に対応するＴＦＴ６８−４を介して接続されている表示画素電極６２には、対向電極６４の電圧に対して正極性（＋）の信号電圧が書き込まれる。
【００１７】
そして、１Ｈの後半で、信号線Ｘ２に対応するＴＦＴ６８−２を介して接続されている表示画素電極６２には、対向電極６４の電圧に対して正極性（＋）の信号電圧が、また信号線Ｘ１に対応するＴＦＴ６８−３を介して接続されている表示画素電極６２には、対向電極６４の電圧に対して負極性（−）の信号電圧が書き込まれる。このようにして、フレーム反転駆動及びドット反転駆動が行われ、これによって不所望な直流電圧の印加の防止とともに、フリッカの発生が防止されている。
【００１８】
このようなＯＣＢ型液晶表示装置においては、表示画素電極６２と対向電極６４間に印加される電圧によってスプレイ状態からベンド状態へと表示状態を変化させることが可能である。しかしながら、例えベンド状態になっていたとしても、表示画素電極６２と対向電極６４間に印加されている電圧の低電圧状態が継続されると、ベンド状態でありながら簡単にスプレイ状態に移行してしまう、所謂逆転移状態に陥ってしまい、表示画像の認識ができなくなるという問題が発生していた。
【００１９】
この逆転移状態になることを防止するためには、液晶層に定期的に高電圧を印加（黒信号挿入）して、この逆転移現象に陥ることを防止する必要がある。この黒信号挿入は映像表示期間中は勿論のこと、ブランキング期間中も実行されて逆転移現象を発生させないようにしているが、ブランキング期間におけるソース線の充電不足は否めない。この充電不足が発生すると表示画面上にゴーストが発生し、特にグレーのベタ状態でのゴースト（ブランキング帯）は他の表示状態に比較すると目立つ傾向にあり、非常に目障りな画面品位劣化の要因となったり、あるいは白ベタ状態での逆転移現象が発生してしまうという問題がある。
【発明の開示】
【発明が解決しようとする課題】
【００２０】
本発明は、このような問題点に鑑みてなされたもので、液晶表示パネル等の平面表示パネルを駆動するためのドライバを制御するコントローラに、ブランキング期間における信号階調設定手段もしくは黒信号挿入タイミング設定手段を設けて、このコントローラによってブランキング期間の階調を中間調に設定、あるいは黒信号挿入タイミング設定手段によってブランキング期間における黒信号を１H期間に亘って挿入することによって、ソース線の充電不足を改善させてグレーのベタ状態でのゴースト（ブランキング帯）を含むゴーストの発生や白ベタ状態での逆転移現象の発生を確実に防止することを可能にした平面表示パネルの駆動方法及び平面表示装置を提供することを目的とする。
【課題を解決するための手段】
【００２１】
本発明は、上記課題を解決するための第１の手段として、平面表示パネルをゲートドライバ及びソースドライバによって駆動するとともに、これらドライバを水平及び垂直同期信号並びに映像信号が供給されるコントローラによって制御する平面表示パネルの駆動方法において、コントローラにブランキング期間中の信号の階調を設定し得る信号階調設定手段を設け、この信号階調設定手段によってブランキング期間における黒信号挿入用書込み期間の間の期間を中間調となるような階調に設定したことを特徴とする。
【００２２】
本発明は、上記課題を解決するための第２の手段として、平面表示パネルをゲートドライバ及びソースドライバによって駆動するとともに、これらドライバを水平及び垂直同期信号並びに映像信号が供給されるコントローラによって制御する平面表示パネルの駆動方法において、コントローラに黒信号挿入タイミング設定手段を設け、この黒信号挿入タイミング設定手段によってブランキング期間における黒信号の書込み期間を映像期間における黒信号の書込み期間よりも相対的に拡大させたことを特徴とする。
【００２３】
本発明は、上記課題を解決するための第３の手段として、水平及び垂直同期信号並びに映像信号が供給されるコントローラと、このコントローラによって制御されるゲートドライバ及びソースドライバと、このゲートドライバ及びソースドライバによって駆動される平面表示パネルとを有する平面表示装置において、コントローラにブランキング期間中の信号の階調を設定し得る信号階調設定手段を設け、この信号階調設定手段によってブランキング期間における黒信号挿入用書込み期間の間の期間を中間調となるような階調に設定したことを特徴とする。
【００２４】
本発明は、上記課題を解決するための第４の手段として、水平及び垂直同期信号並びに映像信号が供給されるコントローラと、このコントローラによって制御されるゲートドライバ及びソースドライバと、このゲートドライバ及びソースドライバによって駆動される平面表示パネルとを有する平面表示装置において、コントローラに黒信号挿入タイミング設定手段を設け、この黒信号挿入タイミング設定手段によってブランキング期間における黒信号の書込み期間を映像期間における黒信号の書込み期間よりも相対的に拡大させたことを特徴とする。
【発明の効果】
【００２５】
本発明によれば、平面表示パネルを駆動するドライバを制御するコントローラに、信号階調設定手段や黒信号挿入タイミング設定手段を内蔵させることで、このコントローラによってブランキング期間の階調を中間調に設定、あるいは黒信号挿入タイミング設定手段によってブランキング期間における黒信号の書込み期間を映像期間の黒信号書込み期間よりも相対的に拡大させることによって、ソース線の充電不足を改善させてグレーベタでのゴースト（ブランキング帯）を含むゴーストの発生や白ベタでの逆転移状態の発生を確実に防止することが可能な平面表示パネルの駆動方法及び平面表示装置を得ることができる。
【発明を実施するための最良の形態】
【００２６】
以下、本発明の実施の形態について、図面を用いて詳細に説明する。
【００２７】
本発明に係る平面表示装置の実施の形態は、図１に示すように、入力端１１から垂直同期信号及び水平同期信号並びに映像信号等の入力信号が入力され、これらの入力信号は、入力電源１２によって付勢されるコントローラ１３に供給される。このコントローラ１３はブランキング期間における信号階調設定手段１４を内蔵しており、この信号階調設定手段１４は、ブランキング期間における映像信号相当部分のソース線充電波形を中間調に設定し、温度や画像再生によって信号階調を設定するためのものである。このコントローラ１３は、夫々ゲートドライバ１５とソースドライバ１６に駆動信号を供給し、このゲートドライバ１５及びソースドライバ１６から、例えば、ＯＣＢ型液晶表示パネルからなる平面表示パネル１７に夫々ゲートパルスと映像信号、黒信号等を供給している。このゲートドライバ１５及びソースドライバ１６には、入力電源１２に接続された駆動電圧発生回路１８からの駆動電圧も供給されており、この駆動電圧及びゲートパルス並びに映像信号等によって平面表示パネル１７上に画像を表示させる構成となっている。
【００２８】
この黒信号の書込みによる黒挿入率は、低電圧で白表示を継続すると逆転移現象が発生するので、１フィールド毎に高電圧である黒を夫々１５〜２０％程度挿入することで逆転移現象に陥ることを防止させる必要があり、このためには映像信号の書込み以外に黒信号を書込むためにもゲートをオンさせて、１フィールド期間に１本のゲートに対して２回オンさせることから、このタイミングによって黒挿入率が決定されている。この高電圧を印加する黒挿入を黒信号の書込みによって行い、映像期間は１H期間毎に映像信号の書込みと黒信号の書込みを交互に行っているが、ブランキング期間においても黒信号の書込みが成されており、このブランキング期間における充電波形が中間調となるようにコントローラ１３のブランキング期間信号階調設定手段１４で温度や再生画像によって信号階調を設定することで、ブランキング期間における充電不足の解消を図っている。
【００２９】
即ち、図２に示すように、映像期間においては１H期間に映像信号と黒信号とが交互に書き込まれ、ブランキング期間は黒表示期間となっている。そこで、ソースドライバ１６には、図２（a）に示すように、１H毎に映像及び黒信号の極性が反転している信号が供給されており、このソースドライバ１６に供給される各信号によるソース線の充電波形は、図２（ｂ）に示すように、それぞれの信号の極性に応じて充放電が行われている。このときゲートドライバ１５からはゲート信号が供給されており、例えばM番目のゲートには図２（ｃ）で示すように映像期間の黒信号位置に黒挿入用のゲートパルスが供給され、同じくM+1番目のゲートには図２（ｄ）で示すようにブランキング期間における黒信号位置に同様に黒挿入用のゲートパルスが供給されている。更にM+2番目のゲート及びM+3番目のゲートにも同様に夫々図２（e）及び図２（ｆ）で示すように黒挿入用のゲートパルスが供給されている。
【００３０】
一方、N番目のゲートには、図２（ｇ）に示すように映像信号書込み用のゲートパルスが供給され、映像期間の各映像部分のN+1番目及びN+2番目のゲートには、夫々図４（ｈ）及び図４（i）に示すように、映像信号書込み用のゲートパルスが供給されている。
【００３１】
そこで、コントローラ１３に内蔵されているブランキング期間の信号階調設定手段１４によって、ブランキング期間内における映像期間相当のソース線充電波形、換言すればブランキング期間内の黒挿入用のゲートパルス期間以外におけるソース線充電波形が中間調を呈するように信号階調を設定することにより、本来の黒信号書込み位置にゲートパルスを発生させるだけでもソース線には十分な充電が成されており、ソース線の充電不足は発生せずに解消している。
【００３２】
これは信号階調設定手段によって、ブランキング期間内の映像相当部分の充電波形を映像期間における映像部分のソース線充電波形との輝度差をなくすように、ブランキング期間における信号階調波形を設定させることで充電電圧の嵩上げを図り、ブランキング期間の充電不足の解消を行っていることに基因している。
【００３３】
このように、ブランキング期間内に映像期間と同様に本来黒挿入用としてゲートされる正規な位置に黒挿入用のゲートパルスを発生させていると、ブランキング期間のソース線の充電が不足してしまうが、これをブランキング期間における信号階調を中間調となるように設定することで、映像期間における映像信号部分との比較において、その輝度レベルを略同程度とすることで映像期間とブランキング期間における輝度差が発生しないように構成している。その結果、低温時における液晶容量が大きくなることによる極性の変わり目での充電不足も解消し、ゴーストの発生や白ベタ状態での逆転移現象の発生を防止することができる。
【００３４】
次いで、本発明に係る平面表示装置の他の実施の形態について説明すると、図３に示すように、入力端１１から垂直同期信号及び水平同期信号並びに映像信号等の入力信号が入力され、これらの入力信号は、入力電源１２によって付勢されるコントローラ１３に供給される。このコントローラ１３は黒信号挿入タイミング設定手段２１を内蔵しており、この黒信号挿入タイミング設定手段２１は、黒信号挿入タイミング決定回路２２とドライバ制御回路２３から構成され、黒信号挿入タイミング設定手段２１によって設定された条件の基に、黒信号を挿入するタイミングパルスをドライバ制御回路２３で生成するように構成されている。
【００３５】
この黒挿入率は、上述のように、低電圧で白表示を継続すると逆転移現象が発生するので、１フィールド毎に高電圧である黒を夫々１５〜２０％程度挿入することで逆転移現象に陥ることを防止させる必要がある。このため、映像信号の書込み以外に黒信号を書込むためにもゲートをオンさせて、１フィールド期間に１本のゲートに対して２回オンさせることから、このタイミングによって黒挿入率が決定されている。この高電圧を印加する黒挿入を黒信号の書込みによって行い、映像期間は１H期間毎に映像信号の書込みと黒信号の書込みを交互に行っているが、ブランキング期間においては、黒信号書込み期間だけではなく映像期間に相当する期間にも跨って黒信号の書込みを行うことでソース線における充電不足の解消を図っている。
【００３６】
このコントローラ１３は、夫々ゲートドライバ１５とソースドライバ１６に駆動信号を供給し、このゲートドライバ１５及びソースドライバ１６から、例えば、ＯＣＢ型液晶表示パネルからなる平面表示パネル１７に、夫々ゲートパルスと映像信号、黒信号等を供給している。このゲートドライバ１５及びソースドライバ１６には、入力電源１２に接続された駆動電圧発生回路１８からの駆動電圧も供給されており、この駆動電圧及びゲートパルス並びに映像信号等によって平面表示パネル１７上に画像を表示させる構成となっている。
【００３７】
この黒信号挿入タイミング設定手段２１では、映像期間においては如何に有効に逆転移現象が発生しないように、黒信号をタイミング良く１フィールド中に書込み挿入するかを設定しているものであるが、ブランキング期間においては１H中の映像信号書込み期間に相当する期間に跨って黒信号を挿入しているもので、このブランキング期間における黒信号挿入のためのタイミングは、温度や再生画像によってその挿入位置や黒信号の大きさ等を設定している。
【００３８】
即ち、図４に示すように、映像期間においては１H期間に映像信号と黒信号とが交互に書き込まれ、ブランキング期間は黒表示期間となっている。そこで、ソースドライバ１６には、図４（a）に示すように、１H毎に映像及び黒信号の極性が反転している信号が供給されており、このソースドライバに供給される各信号によるソース線の充電波形は、図４（ｂ）に示すように、それぞれの信号の極性に応じて充放電が行われている。このときゲートドライバ１５からはゲート信号が供給されており、例えばM番目のゲートには図４（ｃ）に示すように、映像期間の黒信号位置に黒挿入用のゲートパルスが供給され、同じくM+1番目のゲートには図４（ｄ）に示すように、ブランキング期間における黒信号位置に同様に黒挿入用のゲートパルスが供給されている。更にM+2番目のゲートでは、図４（e）に示すように、本来の黒信号の位置に止まらず隣接する映像信号書込み用の位置にまで跨って黒挿入用のゲートパルスが供給されている。M+３番目のゲートにも同様に図４（ｆ）に示すように、映像信号書込み用の期間まで延在する黒挿入用のゲートパルスが供給されている。このように、本来黒挿入用としてゲートされる正規な位置にのみ黒挿入用のゲートパルスを発生させているだけでは、ソース線の充電が不足してしまうので、黒挿入用の書込み範囲を拡張することで、充電不足となる期間迄拡張させている。
【００３９】
なお、図示の場合には、映像信号と黒挿入用の書込みパルス対で１Hとして説明しているが、この順序を反転させて黒挿入用及び映像信号用の書込みパルス対で１Hとする組合せを採用することでも対応が可能であり、要はブランキング期間において黒挿入用の書込み期間を映像期間における黒挿入用の書込み期間よりも相対的に（実質的に）拡大させることで充電不足を解消させれば良い。このため、例えば図４（ｅ）や（ｆ）に示す黒挿入用のゲートパルスに代えて、ブランキング期間における映像信号書込み用に相当する期間及び黒挿入用の書込み相当期間に、夫々独立した黒挿入用のゲートパルスを供給することで、結果的に映像期間における黒挿入用の書込み期間に比較して相対的に黒信号を拡大させるように構成することでも、同様な効果を得ることができる。この拡張範囲はコントローラ１３にて自由に設定することが可能であって、温度や再生画の内容によって適宜選択し得るものである。
【００４０】
一方、N番目のゲートには、図４（ｇ）に示すように映像信号書込み用のゲートパルスが供給され、映像期間の各映像部分のN+1番目及びN+2番目のゲートには、夫々図４（ｈ）及び図４（i）に示すように、映像信号書込み用のゲートパルスが供給されている。
【００４１】
このようにして充電不足を解消させるために、必要とする黒挿入率を確保するための黒信号の書込みを、ブランキング期間の映像相当部分を有効に利用して、この映像相当部分に跨って黒挿入のための書込みを最適なタイミングで設定することが可能となり、この黒挿入によって逆転移現象を有効に、しかも確実に防止することが可能となる。
【００４２】
なお、この黒挿入は１Ｖ毎に行われているもので、黒挿入のための黒信号書込みタイミングは、黒挿入率を変えることによって、自由に設定することが可能である。
【００４３】
このような平面表示装置は画像表示用のディスプレイとして使用されるものであるが、このときの使用において外部環境条件において動作条件に変動を生じている。これらの環境状態においても最適な動作条件を確保するために、黒挿入率を変更させることが望ましく、この挿入率の変更は外部から調整することも可能である。
【００４４】
この黒挿入率の変更は、コントローラ１３内に設けたレジスタ変換回路（図示せず）によって黒挿入タイミング決定回路２２の条件設定を変更し、黒挿入のタイミングを変更させることで可能である。例えば、温度が高い場合には黒挿入率を上げるようにレジスタ変換回路によって黒挿入タイミング決定回路２２をデジタル処理制御して黒表示電圧が低くなるようにすることにより、平面表示パネル１７でのコントラストの低下を抑制することが可能となる。このようにして、平面表示パネル１７の周囲環境温度の変化による温度変化を温度センサ等で検出することによって、温度変化に連動して黒挿入率を追従変化させることが可能となるので、その使用状態に応じた最適な黒信号挿入タイミングに設定することも可能である。
【００４５】
なお、上記の実施形態の説明では、平面表示パネル１７としてＯＣＢ型液晶表示パネルを使用した場合について説明しているが、ＥＬ表示パネルを使用することも可能であり、更に、平面表示パネル１７に表示される動画の内容に応じてバックライトの輝度を変更させるような場合においても、併せて黒挿入率を連動させて変更するように構成することも可能であって、その他にも本発明を逸脱しない範囲での応用や変形が可能なことはいうまでもない。
【図面の簡単な説明】
【００４６】
【図１】本発明に係る平面表示装置の一実施形態の構成を示す回路構成図。
【図２】同じくその動作を説明するための信号波形図。
【図３】本発明に係る平面表示装置の他の実施形態の構成を示す回路構成図。
【図４】同じくその動作を説明するための信号波形図。
【図５】従来のＯＣＢ型液晶表示装置の表示動作を説明するための説明図。
【図６】同じく液晶表示装置を構成する駆動回路を示す回路図。
【図７】同じくその駆動方法を説明するための説明図。
【符号の説明】
【００４７】
１３：コントローラ
１４：信号階調設定手段（ブランキング期間）
１５：ゲートドライバ
１６：ソースドライバ
１７：表示パネル
２１：黒信号挿入タイミング設定手段
２２：黒挿入タイミング決定回路
【図１】
2006018138.tif 000003
【図２】
2006018138.tif 000004
【図３】
2006018138.tif 000005
【図４】
2006018138.tif 000006
【図５】
2006018138.tif 000007
【図６】
2006018138.tif 000008
【図７】
2006018138.tif 000009